(57)【要約】【課題】低コストで浄化処理能力の高い空気浄化装置及びこれに用いられる空気浄化モジュールを提供する。【解決手段】空気浄化装置は、内部を空気が流通可能な容器２と、この容器２内に装填される複数の空気浄化モジュール１０，２０と、を備える。各空気浄化モジュール１０，２０は、複数の板材と、これらの板材の両面にそれぞれ配設されて前記容器内を流通する空気内の異物を捕捉する粘性剤と、を含む。各板材は、それらの法線が互いに異なる方向を向く姿勢で互いに交差しながら合体することにより空気浄化モジュール１０，２０を形成する。【選択図】図１
2014117678.tif 000002
【特許請求の範囲】
【請求項１】
空気浄化装置であって、
内部を空気が流通可能な容器と、
この容器内に装填される複数の空気浄化モジュールと、を備え、
各空気浄化モジュールは、複数の板材と、これらの板材の両面にそれぞれ配設されて前記容器内を流通する空気内の異物を捕捉する粘性剤と、を含み、前記各板材は、それらの法線が互いに異なる方向を向く姿勢で互いに交差しながら合体することにより前記空気浄化モジュールを形成する、空気浄化装置。
【請求項２】
請求項１記載の空気浄化装置であって、前記空気浄化モジュールは、第１板材と、この第１板材に対して直交しながら当該第１板材と合体する第２板材と、を含む、空気浄化装置。
【請求項３】
請求項２記載の空気浄化装置であって、前記空気浄化モジュールは、前記第１板材及び前記第２板材に加え、これら第１及び第２板材の双方と直交するように当該第１板材及び第２板材と合体する第３板材を含む、空気浄化装置。
【請求項４】
請求項１〜３のいずれかに記載の空気浄化装置であって、前記空気浄化モジュールとして、第１空気浄化モジュールと、この第１空気浄化モジュールよりも包絡体積の大きい第２空気浄化モジュールと、を含み、かつ、前記容器に収容される前記第１空気浄化モジュールの個数が前記第２空気浄化モジュールの個数よりも大きい、空気浄化装置。
【請求項５】
請求項１〜３のいずれかに記載の空気浄化装置であって、前記空気浄化装置における空気浄化モジュールのうちの一部の空気浄化モジュールが、当該空気浄化モジュールを構成する板材同士の交差部分に空気の流通が可能な通気穴を有する、空気浄化装置。
【請求項６】
請求項４記載の空気浄化装置であって、前記第２空気浄化モジュールは、当該第２空気浄化モジュールを構成する板材同士の交差部分に空気の流通が可能な通気穴を有する、空気浄化装置。
【請求項７】
請求項１〜６のいずれかに記載の空気浄化装置であって、前記容器内に空気の流れを形成するファンをさらに備え、前記容器はそれぞれが開口を形成する両端部を有する筒状をなし、当該両端部のうちの一方の端部に当該一方の端部が形成する開口を塞ぐように前記ファンが設けられる、空気浄化装置。
【請求項８】
内部を空気が流通可能な容器内に装填されることにより当該容器とともに空気浄化装置を構成する空気浄化モジュールであって、
複数の板材と、
これらの板材の両面にそれぞれ配設されて前記容器内を流通する空気内の異物を捕捉する粘性剤と、を備え、
前記各板材は、それらの法線が互いに異なる方向を向く姿勢で互いに交差しながら合体することにより前記空気浄化モジュールを形成する、空気浄化モジュール。
【請求項９】
請求項８記載の空気浄化モジュールであって、前記複数の板材は、第１板材と、この第１板材に対して直交しながら当該第１板材と合体する第２板材と、を含む、空気浄化モジュール。
【請求項１０】
請求項９記載の空気浄化モジュールであって、前記第１板材及び前記第２板材に加え、これら第１及び第２板材の双方と直交するように当該第１板材及び第２板材と合体する第３板材をさらに備える、空気浄化モジュール。
【請求項１１】
請求項８〜１０のいずれかに記載の空気浄化モジュールであって、前記複数の板材として、それぞれが円形をなす複数の板材を含み、かつ、それぞれの板材の直径部分が互いに重なるようにしてこれらの板材が交差しながら合体している、空気浄化モジュール。
【請求項１２】
請求項１０記載の空気浄化モジュールであって、前記第１板材、第２板材および第３板材はそれぞれ円形をなし、第１及び第２板材同士がそれらの直径部分同士が重なるように交差し、これら第１及び第２板材に対して両板材の直径のうち互いに直交する直径のそれぞれを含むように当該第１及び第２板材に対して第３板材が直交する、空気浄化モジュール。
【発明の詳細な説明】
【技術分野】
【０００１】
本発明は、病院、食品や医薬の製造現場などで使用可能な空気浄化装置及びこれに用いられる空気浄化モジュールに関するものである。
【背景技術】
【０００２】
従来、前記のような空気浄化装置として、特許文献１に記載されるものが知られている。この装置は、内部を流通可能なカプセルと、このカプセル内に設けられる円板状の抗菌粘性剤塗布板と、を備える。抗菌粘性剤塗布板の表面には抗菌粘性剤が塗布されており、当該粘性剤が前記カプセル中を流れる空気に含まれる雑菌を捕捉して殺菌することにより、空気の浄化を行う。
【先行技術文献】
【特許文献】
【０００３】
【特許文献１】特開２００３−１０３０１号公報
【発明の概要】
【発明が解決しようとする課題】
【０００４】
前記特許文献１に記載される抗菌粘性剤塗布板の表面積は限られており、よってその表面に塗布される抗菌粘性剤の量も限られている。従って、一つのカプセルでの空気浄化能力の向上には限りがある。
【０００５】
この点に関し、特許文献１の図２には、複数の抗菌粘性剤塗布板をこれらが円筒状のカプセルの軸方向に対して傾斜する姿勢で当該軸方向に並べて配置することが記載されているが、かかる配置による抗菌粘性剤塗布板の総表面積の増加はわずかであり、空気浄化能力の大幅な向上は期待できない。
【０００６】
その一方、前記カプセル内に空中異物を捕獲するための多孔質体を充填したり、前記抗菌粘性剤塗布板に代えて表面積の大きい複雑な形状に一体成形された粘性剤担持体を充填したりすることは、コストの大幅な増大を招く。
【０００７】
本発明は、このような事情に鑑み、低コストで浄化処理能力の高い空気浄化装置及びこれに用いられる空気浄化モジュールを提供することを目的とする。
【課題を解決するための手段】
【０００８】
本発明が提供する空気浄化装置は、内部を空気が流通可能な容器と、この容器内に装填される複数の空気浄化モジュールと、を備える。各空気浄化モジュールは、複数の板材と、これらの板材の両面にそれぞれ配設されて前記容器内を流通する空気内の異物を捕捉する粘性剤と、を含む。前記各板材は、それらの法線が互いに異なる方向を向く姿勢で互いに交差しながら合体することにより前記空気浄化モジュールを形成する。
【０００９】
また、本発明は、内部を空気が流通可能な容器内に装填されることにより当該容器とともに空気浄化装置を構成する空気浄化モジュールであって、複数の板材と、これらの板材の両面にそれぞれ配設されて前記容器内を流通する空気内の異物を捕捉する粘性剤と、を含む。前記各板材は、それらの法線が互いに異なる方向を向く姿勢で互いに交差しながら合体することにより前記空気浄化モジュールを形成するものである。
【００１０】
以上の構成によれば、前記容器を流通する空気中の異物が空気浄化モジュールを構成する各板材のうちのいずれかの表面に配設された粘性剤によって捕捉されることにより、当該空気の浄化が達成される。しかも、当該空気浄化モジュールは互いに法線が異なる姿勢で交差する板材により構成されているから、単一の板材からなるものよりも著しく大きな表面積を保有することが可能であり、これにより、コンパクトな構造でありながら高い処理能力を発揮することができる。また、前記空気浄化モジュールは、活性炭やゼオライトといった特殊な多孔質体や複雑な形状に成形された担持体と異なり、複数の板材を組み合わせることにより構成されることが可能であるから、著しいコストの増大を伴うことなく前記の効果を奏することが可能であり、例えば前記各板材は紙で構成することも可能である。
【００１１】
前記空気浄化装置では、前記空気浄化モジュールとして、第１空気浄化モジュールと、この第１空気浄化モジュールよりも包絡体積の大きい第２空気浄化モジュールと、を含み、かつ、前記容器に収容される前記第１空気浄化モジュールの個数が前記第２空気浄化モジュールの個数よりも大きいことが好ましい。ここで、前記包絡体積とは、最も小さい面積で前記空気浄化モジュールの輪郭を覆うような仮想閉曲面が占める体積をいう。
【００１２】
前記第１及び第２空気浄化モジュールの混在は、前記第１空気浄化モジュールの個数を大きく設定することで前記空気浄化モジュールの総表面積を稼ぎながら、包絡体積の大きい第２空気浄化モジュールの存在によって容器内の隙間を大きく確保することにより当該容器内での良好な空気の流通を確保することができる。
【００１３】
あるいは、前記空気浄化装置における空気浄化モジュールのうちの一部の空気浄化モジュールが、当該空気浄化モジュールを構成する板材同士の交差部分に空気の流通が可能な通気穴を有するものも、容器内の良好な空気の流通を確保する上で有効である。
【００１４】
さらに、前記の第１及び第２空気浄化モジュールを含む場合には、包絡体積の大きい前記第２空気浄化モジュールに前記通気穴が設けられていることが、好ましい。
【００１５】
本発明では、さらに、前記容器内に空気の流れを形成するファンを備えることが、可能である。この場合、前記容器はそれぞれが開口を形成する両端部を有する筒状をなし、当該両端部のうちの一方の端部に当該一方の端部が形成する開口を塞ぐように前記ファンが設けられるのが、有効である。この配置は、前記ファンが効率よく前記容器内に空気の流れを形成することを可能にする。
【００１６】
前記空気浄化モジュールとしては、第１板材と、この第１板材に対して直交しながら当該第１板材と合体する第２板材と、を含むものが、好適である。これら第１及び第２板材は、前記第１板材の表面に向かうように飛来する異物と、この第１板材に対して直交する前記第２板材の表面に向かうように飛来する異物の双方を有効に捕捉することにより、両板材が構成する空気浄化モジュールの処理能力を効果的に高めることができる。
【００１７】
さらに、この空気浄化モジュールは、前記第１板材及び前記第２板材に加え、これら第１及び第２板材の双方と直交するように当該第１板材及び第２板材と合体する第３板材を含むことにより、その処理能力をさらに高めることができる。
【００１８】
また、板材の外形については、それぞれが円形をなす複数の板材を含み、かつ、それぞれの板材の直径部分が互いに重なるようにしてこれらの板材が交差しながら合体しているものも、好適である。この形状は、両板材が交差する線（両板材の直径に沿う線）を中心として等方性に優れるから、異物の捕捉効率が高く、また、各板材が円であることは、各空気浄化モジュールの取扱い、特に容器内への当該空気浄化モジュールの充填作業、を容易にする。
【００１９】
さらに、前記のように互いに直交する第１〜第３板材を含む空気浄化モジュールにおいては、これらの板材がそれぞれ円形であってかつ第１及び第２板材同士がそれらの直径部分同士が重なるように交差し、これら第１及び第２板材に対して両板材の直径のうち互いに直交する直径のそれぞれを含むように当該第１及び第２板材に対して第３板材が直交するように、これら第１〜第３板材が合体するものが、好適である。
【発明の効果】
【００２０】
以上のように、本発明によれば、低コストで浄化処理能力の高い空気浄化装置及びこれに用いられる空気浄化モジュールを提供することができる。
【図面の簡単な説明】
【００２１】
【図１】本発明の第１実施の形態に係る空気浄化装置の断面正面図である。
【図２】図１のＩＩ−ＩＩ線断面図である。
【図３】前記空気浄化装置に含まれる第１空気浄化モジュールの斜視図である。
【図４】前記空気浄化装置に含まれる第２空気浄化モジュールの斜視図である。
【図５】前記第１空気浄化モジュールを構成する第１〜第３板材の形状を示す分解平面図である。
【図６】図５に示される板材のうちの第１板材と第２板材とが組み合わされた状態を示す斜視図である。
【図７】前記第１及び第２板材に対して第３板材が組み合わされた状態を示す斜視図である。
【図８】本発明の第２実施の形態に係る空気浄化装置の断面正面図である。
【発明を実施するための形態】
【００２２】
本発明の好ましい実施の形態を、図面を参照しながら説明する。
【００２３】
図１及び図２は、本発明の第１実施の形態に係る空気浄化装置を示す。この装置は、内部を空気が流通可能な容器２と、この容器内に装填される複数の空気浄化モジュールと、ファン３０と、を備える。
【００２４】
前記容器２は、この実施の形態では長手方向にそれぞれ端部を有する円筒状をなし、各端部は開口を形成する。この容器２の材質は、強度的な条件を満たすものであれば特に限定されない。この実施形態では、前記容器２は、本体筒４と、この本体筒４の内側面を覆うように当該内側面上に張り巡らされた内側部材６と、フィルタ８と、を有し、内側部材６には、その表面積（容器内側に対する表面積）を大きくするために凹凸が与えられている。この実施の形態では、例えば図２のように容器軸方向から見て波打つ形状が与えられている。前記フィルタ８は、前記容器２の両端にそれぞれ装着されている。このフィルタ８および前記内側部材６は適宜省略可能である。
【００２５】
前記ファン３０は、回転羽根３２及びこれを回転させる図略のモータと、を含み、当該容器２の一方の端部を覆うように当該容器２に装着される。前記回転羽根３２は、その回転により、この容器２内にその軸方向（長手方向）に沿う空気の流れを形成する形状を有する。
【００２６】
この実施の形態に係る空気浄化装置は、前記空気浄化モジュールとして、複数の第１空気浄化モジュール１０と、複数の第２空気浄化モジュール２０と、を含み、これらの空気浄化モジュール１０，２０が互いに隙間をあけながら前記容器２内をほぼ満たすように当該容器２内に不規則的に装填される。さらに、第１空気浄化モジュール１０の個数は、第２空気浄化モジュール２０の個数よりも大きく設定されている。
【００２７】
前記第１空気浄化モジュール１０は、第１板材１１と、第２板材１２と、第３板材１３と、空気内の異物を捕捉するための粘性剤１６と、を含む。前記各板材１１〜１３は、それらの法線が互いに異なる方向を向く姿勢で互いに交差しながら合体しており、前記粘性剤１６は各板材１１〜１３の両面に配設されている。
【００２８】
この実施形態に係る前記各板材１１〜１３は、円形（この実施の形態では互いに同一の円形）をなす。第１板材１１と第２板材１２とは、それらの直径部分１４が互いに重なるように直交した状態で合体している。第３板材１３は、前記第１及び第２板材１１，１２の直径部分であって前記直径部分１４とは直交する直径部分１５と当該第３板材１３の直径部分とが互いに重なるようにこれら第１及び第２板材１１，１２と直交するように、当該板材１１，１２と合体している。
【００２９】
図５は、前記板材１１〜１３の具体的な形状の例であってこれらの板材の組立てに適した形状を示したものである。
【００３０】
図５において、第１及び第２板材１１，１２はともに、その円周上の任意の位置から中心に至るまで半径方向に直線状に延びるスリット１１ａ，１２ａを有する。さらに、第１板材１１には、その中心を通りかつ前記スリット１１ａと直交する直径に沿って延びる一対のスリット１１ｂが形成され、各スリット１１ｂはその内側端が第１板材１１の中心よりも外側にあり、外側端は第１板材１１の外周よりも内側にある。同様に、第２板材１２には、その中心を通りかつ前記スリット１２ａと直交する直径に沿って延びる一対のスリット１２ｂが形成され、各スリット１２ｂはその内側端が第２板材１２の中心よりも外側にあるが、外側端は第２板材１２の外周に至っている。
【００３１】
一方、図５に示される第３板材１３は互いに同一の形状であって略半円状をなす２つの部分１３Ａ，１３Ｂに分割されている。各部分１３Ａ，１３Ｂは、その半円の中心から当該半円の直線辺に対して直交する向きに延びるスリット１３ａと、当該スリット１３ａを挟む左右の位置で前記直線辺からこれと直交する方向に突出する矩形状の一対の突出部１３ｂと、を有する。
【００３２】
前記各スリット１１ａ，１２ａ，１２ｂ，１３ａの幅寸法（長手方向と直交する方向の寸法）は、前記各板材１１〜１３の厚みと同等またはこれよりも僅かに大きく設定されており、第１板材１１のスリット１１ｂの幅寸法はこれに前記第３板材１３の両部分１３Ａ，１３Ｂの突出部１３ｂが重ねて挿入可能な寸法に設定されている。また、第３板材１３の各部分１３Ａ，１３Ｂのスリット１３ａの長さは第２板材１２の中心からスリット１２ｂの内側端までの距離と略同等の長さに設定され、各突出部１３ｂの形状及び位置はこれらの突出部１３ｂが第１板材１１の各スリット１１ｂ内にそれぞれ挿入可能となる形状及び位置に設定されている。
【００３３】
このような形状を有する第１〜第３板材１１〜１３は、例えば図６及び図７に示されるようにして容易に組立てられることが、可能である。まず、図６に示すように、両板材１１，１２のスリット１１ａ，１２ａを合せるようにして各スリット１１ａ，１２ａに相手方の板材１２，１１の残りの部分（スリット１１ａ，１２ａと反対側の部分）を挿入することで、これらの板材１１，１２を当該板材１１，１２同士が直交する状態で合体させることができる。さらに、図７に示すように、これら板材１１，１２に対し、第３板材１３の各部分１３Ａ，１３Ｂのスリット１３ａを第２板材１２のスリット１２ｂに合せるようにしながら、当該各部分１３Ａ，１３Ｂの突出部１３ｂをそれぞれ第１板材１１の各スリット１１ｂに挿入することで、第１〜第３板材１１〜１３が合体されたモジュールを完成することができる。その際、各板材１１〜１３同士が接着剤などで相互に接合されてもよいことは、いうまでもない。
【００３４】
前記第２空気浄化モジュール２０は、前記第１空気浄化モジュール１０と略相似の形状及び構造を有する。すなわち、当該第２空気浄化モジュール２０は、第１空気浄化モジュール１０と同様に、第１板材２１と、第２板材２２と、第３板材２３と、空気内の異物を捕捉するための粘性剤２６と、を含み、前記各板材２１〜２３は、それらの法線が互いに異なる方向を向く姿勢で互いに交差しながら合体しており、前記粘性剤２６は各板材２１〜２３の両面に配設されている。
【００３５】
この第２空気浄化モジュール２０は、前記第１空気浄化モジュール１０の包絡体積よりも大きな包絡体積を有する。この包絡体積とは、例えばヒートシンクのように著しい凹凸を有する物体が実質的に占有する体積を示すためによく用いられる概念であって、最も小さい面積で前記空気浄化モジュールの輪郭を覆うような仮想閉曲面が占める体積をいう。平たく述べれば、当該包絡体積は、前記空気浄化モジュールをラップによってそのラップの必要面積が最小となるような態様で包んだときの当該ラップが規定する輪郭を持つ立体の体積に相当する。
【００３６】
具体的に、前記各板材２１〜２３は、前記第１空気浄化モジュール１０の各板材１１〜１３と同様に、互いに同一の円形をなすが、各板材２１〜２３は前記各板材１１〜１３よりも大きな直径を有する。前記各板材１１〜１３と同様、第２空気浄化モジュール２０の第１板材２１と第２板材２２とは、それらの直径部分２４が互いに重なるように直交した状態で合体し、第３板材２３は、前記第１及び第２板材２１，２２の直径部分であって前記直径部分２４とは直交する直径部分２５と当該第３板材２３の直径部分とが互いに重なるようにしてこれら第１及び第２板材２１，２２と直交するように、当該板材２１，２２と合体している。
【００３７】
各第１〜第３板材２１〜２３も、図５〜図７に示される第１板材１１〜１３の形状と相似の形状を有することにより、これら第１板材１１〜１３と同様にして容易に組み立てられることが可能である。
【００３８】
さらに、この実施の形態に係る第２空気浄化モジュール２０には、前記第１〜第３板材２１〜２３が直交する部分、すなわち当該第２空気浄化モジュール２０の中心部分に、各板材２１〜２３を貫通する通気穴２８が設けられている。この通気穴２８は、第２空気浄化モジュール２０の存在にかかわらずその中心部分を空気が流通することを可能にする。具体的に、この実施形態では、前記各板材２１〜２３の中央部分にそれぞれ円形の貫通穴が設けられ、これらの貫通穴が前記通気穴２８を構成している。
【００３９】
前記各空気浄化モジュール１０，２０を構成する粘性剤１６，２６は、それぞれ、前記各板材１１〜１３，２１〜２３の両面に例えば塗布によって配設されることが可能で、かつ、前記容器２内を流れる空気中の異物（例えばごみや微粒子などの浮遊物）を捕捉できるだけの粘性を有するものであればよい。具体的には、樹脂系材料やゴム系材料が好適である。前者の例としてはアクリル、ウレタン系樹脂など、後者の例としては天然、合成ゴム系が挙げられる。また、エマルション型、溶剤型、ホットメルト型、固形（カレンダー）型、水溶性型、無溶剤型などが挙げられる。また、ゾル型、ゲル型のいずれも適用可能であるが、本発明ではゲルタイプがより望ましい。さらに粘性特性によって永久粘着タイプと再剥離タイプとに分類されるが、本発明ではいずれも利用可能である。
【００４０】
より具体的に、前記アクリル系粘性剤としてはアクリル酸エステル（Ｃ２〜Ｃ１２程度）を主体に、アクリル酸、メタクリル酸、アクリルアミド、酢酸ビニル、スチレン、アクリロニトリルなどを共重合したものなどを主成分としたものが、好適であり、未架橋型、架橋型を問わない。ゴム系粘性剤としては天然ゴム、ＳＢＲ（スチレン・ブタジエンゴム）、ブチルゴム、ＳＩＳ（スチレン・イソプレン・スチレン）、ＳＢＳ（スチレン・ブタジエン・スチレン）、ポリイソプレンなどのエラストマーと、粘着性付与剤（ｔａｃｋｉｆｉｅｒ；ロジン、テルペン、石油系樹脂など）、可塑剤、充填剤、老化防止剤などから構成されたものが、好適である。
【００４１】
この実施形態では、各モジュール１０，２０を構成する板材だけでなく、前記容器２の内側部材６の表面（内表面）上にも、前記粘性剤１６，２６と同様の粘性剤が塗布されている。
【００４２】
前記各板材１１〜１３，２１〜２３の具体的な材質は限定されない。これらの板材は、例えば樹脂材料や金属材料で構成されることも可能であるが、紙、例えば腰のある板紙など、で構成されることも可能であり、これにより装置全体のコストは著しく低減される。さらに、粘性剤１６，２６の効率的利用のために当該粘性剤の塗布の前に各板材の両面にアンダーコーテイング、すなわち、紙の層への粘性剤のしみ込みを防ぐためのコーティングが施されてもよい。また、本発明は、複数の板材を含む空気浄化モジュール全体が例えば樹脂材料により一体に成形されたものを除外する趣旨ではない。この場合も、モジュールそのものの形状は板材を組み合わせた簡単な形状に設定され得ることから、単純な形状の金型で空気浄化モジュールを成形することが可能である。
【００４３】
前記第１及び第２空気浄化モジュール１０，２０の包絡体積比は、適宜設定可能であり、これを考慮して両モジュール１０，２０の個数比も設定されればよい。例えば、両モジュール１０，２０をそれぞれ構成する板材の直径比が２：３の場合、その個数比は７：３程度が好適である。
【００４４】
以上の構成を有する空気浄化装置において、図１に示すように、容器２内に相当数の空気浄化モジュール１０，２０が装填された状態でファン３０が作動し、容器２内に空気を流通させると、その空気中に含まれるごみや微粒子といった異物が各空気浄化モジュール１０，２０を構成する板材のうちのいずれかの表面に塗布された粘性剤１６または２６に接触して捕捉される。これにより、当該空気の浄化が達成される。しかも、当該空気浄化モジュール１０，２０は互いに法線が異なる姿勢で交差する複数の板材により構成されているから、単一の板材からなるものよりも著しく大きな表面積を保有することが可能であり、これにより、コンパクトな構造でありながら高い処理能力を発揮することができる。
【００４５】
さらに、この実施形態に係る装置では、互いに個数及び大きさの異なる第１及び第２空気浄化モジュール１０，２０が混在しているので、包絡体積が小さくて個数の多い第１空気浄化モジュールによって全空気浄化モジュール１０，２０の総表面積を稼ぎながら、包絡体積の大きい第２空気浄化モジュールの存在によって容器２内の隙間を大きく確保することにより、当該容器２内での圧力損失を低減して良好な空気の流通を確保することができる。さらに、第２空気浄化モジュール２０に設けられた通気穴２８は、更なる圧力損失の低減に寄与することができる。
【００４６】
ただし、前記のように複数種の空気浄化モジュールを用いなくても十分な空気の流通が確保される場合には、単一種の空気浄化モジュールのみ（例えば前記第１空気浄化モジュール１０のみ）が容器内に装填されてもよい。
【００４７】
本発明では、各空気浄化モジュールを構成する板材の枚数も限定されない。例えば、各モジュール１０，２０は、第１板材１１，２１と、第２板材２１，２２とでそれぞれ構成されることも可能である。また、板材同士は必ずしも直交していなくてもよく、９０°以外の適当な角度で交差していてもよい。しかし、前記のように板材同士が互いに直交すること、また、第１〜第３板材が立体的に互いに交差するように配置されることは、一つの空気浄化モジュールが様々な方向から飛来する空気中の異物を高い効率で捕捉することを可能にする。
【００４８】
各板材の外形も円形に限らず、例えば、正方形を含む矩形であってもよい。あるいは、板材の外形が互いに異なる複数種の空気浄化モジュールが共通の容器内に装填されてもよい。しかし、前記各板材のように円形をなしてそれぞれの板材の直径部分が互いに重なるようにしてこれらの板材が交差しながら合体しているものは、両板材が交差する線（両板材の直径に沿う線）を中心として等方性に優れるから、異物の捕捉効率が高く、また、各板材が円であることは、各空気浄化モジュールの取扱い、特に容器内への当該空気浄化モジュールの充填作業、を容易にする。特に、前記のように互いに直交する第１〜第３板材１１〜１３または第１〜第３板材２１〜２３がそれぞれ円形であってかつ各板材同士がそれぞれの直径部分が重なるように直交したものでは、その優れた等方性により、あらゆる方向から飛来する異物を効果的に捕捉することが可能である。
【００４９】
なお、各板材は完全な平板でなくてもよく、板材全体に軽い反りを含んだものや、細かい凹凸を有する（例えば板厚方向に細かく波打つ形状を有する）ものでもよい。後者の場合も、マクロ的にみて板材全体が実質上の平板であれば、これについて「法線方向」を特定することが可能である。
【００５０】
また、本発明では、容器の具体的な形状や配置されるときの姿勢も限定されない。図８は、本発明の第２の実施の形態に係る空気浄化装置であって縦置きに配置されるものを示している。この装置は、図１に示される容器２、空気浄化モジュール１０，２０及びファン３０と同様の容器５２、空気浄化モジュール１０，２０及びファン３０を備え、当該容器５２が縦置きに、すなわち当該容器５２の中心軸が上下方向を向く姿勢で、配置されている。
【００５１】
前記容器５２は、前記本体筒４、前記内側部材６、及びフィルタ８と同等の本体筒４、図略の内側部材、及びフィルタ８に加え、前記本体筒４をさらに外側から保持するケース５４を備える。ケース５４は、上下に開口する円筒状の側壁５４ａと、その下側開口を塞ぐ底壁５４ｂと、を有し、側壁５４ａは、前記本体筒４の軸長よりも大きな軸長と、本体筒４の外径と略同等の内径と、を有する。前記本体筒４は前記側壁５４ａの内側に挿入され、当該本体筒４の下端が前記底壁５４ｂよりも上側に位置するように前記側壁５４ａに固定されている。前記ケース５４は、図１に示される横置きタイプの装置にも適用されることが可能である。
【００５２】
前記ファン３０は、前記本体筒４の上側に位置するように前記側壁５４ａ内に固定されている。一方、前記側壁５４ａのうち前記本体筒４よりもさらに下側に位置する部分には通気口５６が設けられ、前記ファン３０は、当該通気口５６から空気を吸込んで前記本体筒４内に下側から送り込み、当該本体筒４の上側から排出するように作動する。当該ファン３０は、逆に、本体筒４の上側から空気を吸込んで下側の前記通気口５６から排出するように作動してもよい。
【００５３】
このように縦置きに配置された空気浄化装置においても、前記本体筒４内を上下方向に流通する空気中の異物が当該本体筒４内の各空気浄化モジュール１０，２０によって捕捉され、これにより当該空気の浄化が達成される。
【実施例１】
【００５４】
優れた空気浄化性能を得ることができる装置のごく一例を以下に示す。
【００５５】
図１に示す空気浄化装置において、約２００ｍｍの内径をもつ本体筒４内に、３５個の第１空気浄化モジュール１０と、１５個の第２空気浄化モジュール２０とが装填される。第１空気浄化モジュール１０を構成する第１〜第３板材１１〜１３は、それぞれ６０ｍｍの直径を有する一方、第２空気浄化モジュール２０を構成する第１〜第３板材２１〜２３は、それぞれ９０ｍｍの直径を有する。さらに、第２空気浄化モジュール２０の各板材１１〜１３の中央には約１６ｍｍの直径をもつ貫通穴が設けられ、これにより、当該第２空気浄化モジュール２０の中心部分に通気穴が形成される。
【００５６】
各板材１１〜１３，２１〜２３の表面には、アクリル共重合樹脂を主成分として含む粘稠性エマルジョン状の粘性剤１６，２６がそれぞれ塗布されている。各粘性剤１６，２６は、約０．２Ｎ／１０ｍｍの粘性力を有し、前記本体筒４内を流れる空気中の異物であって粒径が約０．５〜１０μｍの浮遊粒子を捕捉することができる。さらに、このような粒径をもつ浮遊粒子の捕捉により、当該浮遊粒子の表面に付着する微細なウィルス等の菌類も結果的に併せて捕捉することが可能である。
【符号の説明】
【００５７】
２，５２  容器
１０  第１空気浄化モジュール
１１  第１板材
１２  第２板材
１３  第３板材
１４，１５  板材の直径部分
１６  粘性剤
２０  空気浄化モジュール
２１  第１板材
２２  第２板材
２３  第３板材
２４，２５  板材の直径部分
２６  粘性剤
２８  通気穴
３０  ファン
【図１】
2014117678.tif 000003
【図２】
2014117678.tif 000004
【図３】
2014117678.tif 000005
【図４】
2014117678.tif 000006
【図５】
2014117678.tif 000007
【図６】
2014117678.tif 000008
【図７】
2014117678.tif 000009
【図８】
2014117678.tif 000010